(57)【要約】【課題】  迅速に支持骨に掛合して自動的に定位するスライドレールのブラケット定位装置を提供する。【解決手段】  ブラケット１の端面板片１１上に差込柱２が設置され、差込柱２は穿孔を具える支持骨に挿し込まれる。ブラケット１の端面板片１１に隣合うフレームに枢設台１２が設置され、枢設台１２に掛合部品４が枢設されている。掛合部品４には掛合肩４２が成形され、掛合肩４２の一側面には少なくとも凸片４３が成形されている。掛合部品４上は受力部４５を具え、受力部４５は弾性部品６の作用を受けて掛合部品４を傾斜掛合させたり、自動復位させたりする。ブラケット１の端面板片１１の差込柱２を支持骨の穿孔に入れる場合、掛合部品４の凸片４３の前縁が支持骨の辺縁にスライド停止し、弾性部品６の作用によって凸片４３を自動的に支持骨の辺壁に停止させて定位する。【選択図】    図１
0003108872.tif 000002
【実用新案登録請求の範囲】
【請求項１】
ブラケットの端面板片上に差込柱が設置され、差込柱を穿孔を具えた支持骨に挿し込むスライドレールのブラケット定位装置において、
ブラケットの端面板片箇所に隣合うフレームに枢設台が設置され、枢設台に掛合部品が枢設され、掛合部品には掛合肩が成形され、掛合肩の一側面には少なくとも凸片が成形され、掛合部品上は受力部を有し、受力部は弾性部品の力を受けて掛合部品を傾斜掛合、または自動復位可能であり、
ブラケットの端面板片の差込柱を支持骨の穿孔に入れる場合、掛合部品の凸片の前縁が支持骨の辺縁にスライド停止し、弾性部品の力によって凸片が自動的に支持骨の辺壁に停止されて定位されることを特徴とするスライドレールのブラケット定位装置。
【請求項２】
前記掛合部品の掛合肩は、差込柱方向に対して設置されていることを特徴とする請求項１記載のスライドレールのブラケット定位装置。
【請求項３】
前記掛合部品の掛合肩の凸片は、前縁が傾斜辺であることを特徴とする請求項１記載のスライドレールのブラケット定位装置。
【請求項４】
前記弾性部品は、弾性片体であって、一端はブラケットに固定され、他端は掛合部品の受力部で停止することを特徴とする請求項１記載のスライドレールのブラケット定位装置。
【請求項５】
前記弾性部品は、コイルバネであって、一端はブラケットに固定され、他端は掛合部品の受力部で停止することを特徴とする請求項１記載のスライドレールのブラケット定位装置。
【請求項６】
前記掛合部品は、端部に停止脚が設置され、変転時、ブラケットの枢設台縁で停止することを特徴とする請求項１記載のスライドレールのブラケット定位装置。
【考案の詳細な説明】
【技術分野】
【０００１】
本考案は、スライドレールのブラケット定位装置に関するもので、スライドレール端部に接合するブラケットを即座に支持骨に挟んで定位するもので、体積が小さいものである。
【背景技術】
【０００２】
一般のスライドレールに結合するブラケットは、金属製の支持骨に掛合し、主に、パソコンサーバーの一層一層に設置される。しかしながら、米国特許公知のブラケット定位構造は、異なる断面形状の支持骨に対応するため、形態がそれぞれ異なり、それぞれの実用性を具え、作用原理も相互に運用できない（特許文献１、特許文献２または特許文献３参照）。
【０００３】
【特許文献１】米国特許第６４２２３９９号
【特許文献２】米国特許第６５５４１４２号
【特許文献３】米国特許第６６５９５７７号
【考案の開示】
【考案が解決しようとする課題】
【０００４】
解決しようとする問題点は、特許文献３のブラケットの長短停止片は、米国特許第６３２２３９９号に提示する下向きコの字型の支持骨もしくは特許文献１の長方形枠型支持骨で止められず、また、特許文献１ブラケットの掛合鉤は丸孔式支持骨に運用できない点である。
【課題を解決するための手段】
【０００５】
本考案は、ブラケットに端面板片が設置され、且つ端面板片の近辺には枢設台が成形される。枢設台は掛合部品に枢設され、掛合部品には掛合肩が成形される。掛合肩には凸片が成形され、受力部も具わる。この受力部は弾性部品の作用を受けて掛合部品を適度に傾けて設置したり、自動的に復位したりする。これによって、ブラケットが端面板片の差込柱によって支持骨の穿孔に差込まれると、掛合部品の掛合肩で傾斜して設置され、凸片で支持骨の縁にスライド停止することにより、自動的に定位することを最も主要な特徴とする。
【０００６】
本考案のスライドレールのブラケット定位装置は、ブラケットの体積を更に小さくし、且つブラケットの掛合構造及び操作を簡易にするため、スピーディに支持骨に掛合して自動的に定位するという利点がある。
【考案を実施するための最良の形態】
【０００７】
（実施例１）
図１及び図２は、本考案の一実施形態の例であり、ブラケット１の端面板片１１上には外向きに差込柱２が設置される。この差込柱２は公知の階段状柱体と同じであり、大直径段２１と小直径段２２を具え、それを穿孔７１が貫設された支持骨７もしくは円形穿孔８１（図７参照）に差し込み、２個の差込柱２間の内側中央箇所にねじ部品３が設置されている。
【０００８】
ブラケット１の端面板片１１と隣接するフレーム上端には穿孔１２１を具えた枢設台１２が成形され、枢設台１２には枢設部品５で係止部品４を差し込む。係止部品４は、枢設孔４１及び一体成型で差込柱２向きに対応する掛合肩４２を具える。掛合肩４２の一側面には、少なくとも一つの凸片４３が成形される。単一凸片４３の場合、単一直径の差込柱が対応し、各々異なる支持骨７または支持骨８の穿孔７１または穿孔８１が対応するか、もしくは図１に示すような二つの凸片４３及び凸片４４が成形される。これらの凸片４３及び凸片４４の前縁には傾斜辺４３１または傾斜辺４４１が形成され、且つ係止部品４上には受力部４５が具えられる。受力部４５は、弾性部品６によって係止部品４が適する角度に掛かったり、自動的に戻ったりする。また、弾性部品６は、図に示すように、固定孔６１が貫設され、ブラケット１の表側のプレス凸体１３に鋲止めされ、もう一端は受力部４５及び係止部品４の先端に成形された停止脚４６に止められる。これらによって、ブラケット１の枢設台１２縁を押さえ、係止部品４の回転角度を制限する。
【０００９】
上述の構造により、図２から図５に示すとおり、ブラケット１を端面板片１１の差込柱２の大直径段２１で支持骨７の穿孔７１に完全に差し込むと、係止部品４の凸片４３の前縁の傾斜辺４３１が支持骨７の縁にスライドして止まり、掛合肩４２が傾き、そして、弾性部品６の弾力によって正しく掛かる。また、凸片４３は自動的に支持骨７の辺壁に掛かって定位する。このようにして、係止部品４の位置が正しく、また、ブラケット１の前端から引き抜きやすい。また、これらの掛合構造の体積は小さいため、場所を取らない。
【００１０】
（実施例２）
図６及び図７に示すとおり、ブラケット１は、差込柱２の小直径段２２で別種の支持骨８の穿孔８１に差し込まれる場合、差込深度が異なるため、係止部品４の掛合肩４２の別凸片４４を支持骨８の辺壁に掛合して固定する。また、ねじ３１を使って支持骨８の穿孔８１に入れ、ブラケット１の内側のねじ部品３で固定して安全性をより高める。
【００１１】
（実施例３）
この他、上述の実施例を応用した技術として、図８に示すとおり、ブラケット１Ａの外体下端に掛合部品４Ａの関連構造が設置され、係止部品４Ａは弾性部品６Ａの伸縮体に押され、係止部品４Ａは傾いた後、自動的に復位する。この例は「二重掛合式」ブラケットに適しているが、当然、単一の係止部品４Ａをブラケット１Ａの下方に設置してもよく、これらも本考案の範疇とする。
【００１２】
（実施例４）
図９に示すとおり、係止部品４Ｂを自動的に復位させる手段に於いて、コイルバネの弾性部品６Ｂの一端をブラケット１Ｂに掛合し、他端を掛合部品４Ｂの適する形状に成形した受力部４５Ｂに掛合する。
【００１３】
（実施例５）
更に本考案に敷衍するものとして、図１０及び図１１に示すとおり、ブラケット１Ｃの差込柱２Ｃと掛合部品４Ｃが反対位置になり、ブラケット１Ｃの前方には折曲形状の枢設台１２Ｃが成形され、そこに枢設部品５Ｃを挿しこみ、掛合部品４Ｃを連接する。また、掛合部品４Ｃは後ろ向きで差込柱２Ｃに対応し、少なくとも一つの凸片４３Ｃを具えた掛合肩４２Ｃが成形される。また、枢設台１２Ｃ上には弾性部品６Ｃによる作用を具える掛合部品４Ｃの受力部４５Ｃが設置されている。
【図面の簡単な説明】
【００１４】
【図１】本考案の実施例１によるスライドレールのブラケット定位装置を示す分解斜視図である。
【図２】本考案の実施例１によるスライドレールのブラケット定位装置と支持骨を示す斜視図である。
【図３】本考案の実施例１によるスライドレールのブラケット定位装置と支持骨の組立作動状態を示す模式図である。
【図４】本考案の実施例１によるスライドレールのブラケット定位装置と支持骨の組立状態を示す斜視図である。
【図５】本考案の実施例１によるスライドレールのブラケット定位装置と支持骨の組立状態を示す斜視図である。
【図６】本考案の実施例２によるスライドレールのブラケット定位装置と別の支持骨の組立状態を示す斜視図である。
【図７】本考案の実施例２によるスライドレールのブラケット定位装置と別の支持骨の組立状態を示す斜視図である。
【図８】本考案の実施例３によるスライドレールのブラケット定位装置を示す斜視図である。
【図９】本考案の実施例４によるスライドレールのブラケット定位装置を示す斜視図である。
【図１０】本考案の実施例５によるスライドレールのブラケット定位装置を示す斜視図である。
【図１１】本考案の実施例５によるスライドレールのブラケット定位装置を示す斜視図である。
【符号の説明】
【００１５】
１  ブラケット、１Ａ  ブラケット、１Ｂ  ブラケット、１Ｃ  ブラケット、２  差込柱、２Ｃ  差込柱、３  ねじ部品、４  係止部品、４Ａ  係止部品、４Ｂ  係止部品、４Ｃ  係止部品、５  枢設部品、５Ｃ  枢設部品、６  弾性部品、６Ａ  弾性部品、６Ｂ  弾性部品、６Ｃ  弾性部品、７  支持骨、８  支持骨、１１  端面板片、１２  枢設台、１２Ｃ  枢設台、１３  プレス凸体、２１  大直径段、２２  小直径段、３１  ねじ、４１  枢設孔、４２  掛合肩、４２Ｃ  掛合肩、４３  凸片、４３Ｃ  凸片、４４  別凸片、４５  受力部、４５Ｂ  受力部、４５Ｃ  受力部、４６  停止脚、６１  固定孔、７１  穿孔、８１  穿孔、１２１  穿孔、４３１  傾斜辺、４４１  傾斜辺
【図１】
0003108872.tif 000003
【図２】
0003108872.tif 000004
【図３】
0003108872.tif 000005
【図４】
0003108872.tif 000006
【図５】
0003108872.tif 000007
【図６】
0003108872.tif 000008
【図７】
0003108872.tif 000009
【図８】
0003108872.tif 000010
【図９】
0003108872.tif 000011
【図１０】
0003108872.tif 000012
【図１１】
0003108872.tif 000013